【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】  電力系統の保護制御を行なう保護制御装置に直接又は伝送系を介して接続して保護制御装置の操作を行なう操作端末を接続する機能を備えた保護制御装置において、操作端末の接続形態の違いにより操作端末の機能を区別するものであって、前記操作端末の接続形態の違いとして、保護制御装置が設置されている変電所の内部からのアクセスと外部からのアクセスとを区別するに際し、変電所外部からのアクセスは伝送中継部を介して接続される伝送系構成とし、前記伝送中継部が変電所外部からのアクセス情報の発信元ＩＰアドレスを特定のＩＰアドレスに変換して保護制御装置に渡すことを特徴とする電力系統保護制御装置。
【請求項２】  請求項１記載の電力系統保護制御装置において、操作端末の接続形態の違いとして、保護制御装置が設置されている変電所の内部からのアクセスと外部からのアクセスとを区別するに際し、変電所外部からのアクセスは伝送中継部を介して接続される伝送系構成とし、変電所外部からのアクセス情報は前記伝送中継部が変電所外部からのアクセスであることを示す識別情報を付加することを特徴とする電力系統保護制御装置。
【請求項３】  請求項１記載の電力系統保護制御装置において、操作端末の接続形態の違いとして、保護制御装置が設置されている変電所の内部からのアクセスと外部からのアクセスとを区別するに際し、保護制御装置盤面に表示されている情報をパスワードとして操作端末から入力させることにより、変電所内部及び外部からのアクセスを判別することを特徴とする電力系統保護制御装置。
【請求項４】  請求項１記載の電力系統保護制御装置において、操作端末の接続形態の違いとして、保護制御装置が設置されている変電所の内部からのアクセスと外部からのアクセスとを区別するに際し、保護制御装置の切替釦あるいは切替スイッチの状態情報をもとにして変電所内部及び外部からのアクセスを判別することを特徴とする電力系統保護制御装置。
【請求項５】  請求項１記載の電力系統保護制御装置において、操作端末の接続形態の違いとして、操作端末が保護制御装置に直接接続されているかＬＡＮ経由接続されているかを区別するに際し、前記操作端末が直接接続されているときは当該操作端末が直接接続であることを示す情報を保護制御装置に通知することを特徴とする電力系統保護制御装置。
【請求項６】  請求項１記載の電力系統保護制御装置において、操作端末の接続形態の違いとして、保護制御装置が設置されている変電所の内部からのアクセスと外部からのアクセスとを区別するに際し、当該操作端末で設定した操作内容を実行するための釦あるいはスイッチを保護制御装置盤面に備えたことを特徴とする電力系統保護制御装置。
【手続補正２】
【補正対象書類名】明細書
【補正対象項目名】０００８
【補正方法】変更
【補正の内容】
【０００８】
【課題を解決するための手段】
本発明では上記課題を解決するために、以下のような手段を備えた。本発明の[請求項１]に係る電力系統保護制御装置は、電力系統の保護制御を行なう保護制御装置に直接又は伝送系を介して接続して保護制御装置の操作を行なう操作端末を接続する機能を備えた保護制御装置において、操作端末の接続形態の違いにより操作端末の機能を区別するものであって、前記操作端末の接続形態の違いとして、保護制御装置が設置されている変電所の内部からのアクセスと外部からのアクセスとを区別するに際し、変電所外部からのアクセスは伝送中継部を介して接続される伝送系構成とし、前記伝送中継部が変電所外部からのアクセス情報の発信元ＩＰアドレスを特定のＩＰアドレスに変換して保護制御装置に渡すよう構成した。これにより、保護制御装置は伝送パケットの発信元ＩＰアドレスをチェックして保護制御装置が設置されている変電所内部からのアクセスか変電所外部からのアクセスかを区別する。
【手続補正３】
【補正対象書類名】明細書
【補正対象項目名】０００９
【補正方法】変更
【補正の内容】
【０００９】
本発明の[請求項２]に係る電力系統保護制御装置は、[請求項１]において、操作端末の接続形態の違いとして、保護制御装置が設置されている変電所の内部からのアウセスと外部からのアクセスとを区別するに際し、変電所外部からのアクセスは伝送中継部を介して接続される伝送系構成とし、変電所外部からのアクセス情報は前記伝送中継部が変電所外部からのアクセスであることを示す識別情報を付加する構成とした。これにより保護制御装置は伝送パケットの識別情報をチェックして保護制御装置が設置されている変電所内部からのアクセスか変電所外部からのアクセスかを区別する。
【手続補正４】
【補正対象書類名】明細書
【補正対象項目名】００１０
【補正方法】変更
【補正の内容】
【００１０】
本発明の[請求項３] に係る電力系統保護制御装置は、[請求項１]において、操作端末の接続形態の違いとして、保護制御装置が設置されている変電所の内部からのアクセスと外部からのアクセスとを区別するに際し、保護制御装置盤面に表示されている情報をパスワードとして操作端末から入力させることにより、変電所内部及び外部からのアクセスを判別するよう構成した。これにより保護制御装置はパスワードが一致すれば変電所内部にある操作端末からのアクセスと判断し、パスワードが不一致ならば変電所外部の操作端末からのアクセスと判断する。
【手続補正５】
【補正対象書類名】明細書
【補正対象項目名】００１１
【補正方法】変更
【補正の内容】
【００１１】
本発明の[請求項４] に係る電力系統保護制御装置は、[請求項１]において、操作端末の接続形態の違いとして、保護制御装置が設置されている変電所の内部からのアクセスと外部からのアクセスとを区別するに際し、保護制御装置の切替釦あるいは切替スイッチの状態情報をもとにして変電所内部及び外部からのアクセスを判別するよう構成した。これにより、保護制御装置は切替釦がオンの時操作端末からのアクセスがあると変電所内部にある操作端末からのアクセスと判断し、切替釦がオフの時は変電所外部の操作端末からのアクセスと判断する。
【手続補正６】
【補正対象書類名】明細書
【補正対象項目名】００１２
【補正方法】変更
【補正の内容】
【００１２】
本発明の[請求項５] に係る電力系統保護制御装置は、[請求項１]において、操作端末の接続形態の違いとして、操作端末が保護制御装置に直接接続されているかＬＡＮ経由接続されているかを区別するに際し、前記操作端末が直接接続されているときは当該操作端末が直接接続であることを示す情報を保護制御装置に通知するよう構成した。これにより、保護制御装置は直接接続されているという情報がある時に操作端末からのアクセスがあると保護制御装置に直接接続された操作端末からのアクセスと判断し、直接接続されているという情報がない時は直接接続以外の操作端末からのアクセスと判断する。
【手続補正７】
【補正対象書類名】明細書
【補正対象項目名】００１３
【補正方法】変更
【補正の内容】
【００１３】
本発明の[請求項６] に係る電力系統保護制御装置は、[請求項１]において、操作端末の接続形態の違いとして、保護制御装置が設置されている変電所の内部からのアクセスと外部からのアクセスとを区別するに際し、当該操作端末で設定した操作内容を実行するための釦あるいはスイッチを保護制御装置盤面に備えた。これにより、変電所外部の操作端末から操作内容を設定しても実行するための釦あるいはスイッチを押下できないので操作実行されない。